(57)【特許請求の範囲】
【請求項１】
検索語を受けるステップと、
前記検索語を含む知識グラフを取得するステップと、
検索結果ページの予め設定した推奨区域の中に、前記知識グラフを展示するステップと
を含んでおり、一つ又は複数のプロセッサーが実行する展示方法であって、
前記知識グラフは、ノードと、二つのノードを連結するサイドラインとからなり、
前記知識グラフの中央ノードに対応する実体が前記検索語であり、
前記展示方法は、さらに、
前記知識グラフのサイドラインがクリックされると、前記サイドライン両端のノードに対応する実体により新しい検索語を生成し、前記新しい検索語によって、再び検索を行うか、又は、
前記知識グラフのサイドラインが選択されると、前記サイドライン両端のノードに対応する実体の間の関係を展示し、
さらに、前記知識グラフの中央ノードがクリックされると、前記知識グラフの詳しい内容を展示する
ことを特徴とする展示方法。
【請求項２】
前記知識グラフの非中央ノードがクリックされると、前記非中央ノードに対応する実体を新しい検索語として、再び検索を行うことを特徴とする請求項１に記載の展示方法。
【請求項３】
前記サイドライン両端のノードに対応する実体により新しい検索語を生成する場合、
前記サイドライン両端のノードに対応する実体を含む新しい検索語を生成することを特徴とする請求項１に記載の展示方法。
【請求項４】
前記知識グラフのサイドラインの選択は、
マウスまたはキーボードのキーによるカーソルを前記サイドラインに置くこと、または、
タッチ物で前記サイドラインをタッチすることであることを特徴とする請求項１に記載の展示方法。
【請求項５】
前記知識グラフのノードは異なるタイプを有し、異なるタイプのノードが異なる色で表示されることを特徴とする請求項１に記載の展示方法。
【請求項６】
前記知識グラフを展示する場合は、ダイナミック的に前記知識グラフを展示することを特徴とする請求項１に記載の展示方法。
【請求項７】
検索語を受ける受け取りモジュールと、
前記検索語を含む知識グラフを取得する取得モジュールと、
検索結果ページの予め設定した推奨区域の中に、前記知識グラフを展示する展示モジュールと
を含む展示装置であって、
前記知識グラフは、ノードと、二つのノードを連結するサイドラインとからなり、
前記知識グラフの中央ノードに対応する実体が前記検索語であり、
前記展示装置は、さらに処理モジュールを含み、
前記処理モジュールは、
前記知識グラフのサイドラインがクリックされると、前記サイドライン両端のノードに対応する実体により新しい検索語を生成し、前記新しい検索語によって、再び検索を行うか、又は、
前記知識グラフのサイドラインが選択されると、前記サイドライン両端のノードに対応する実体の間の関係を展示し、
さらに、前記知識グラフの中央ノードがクリックされると、前記知識グラフの詳しい内容を展示する拡大モジュールを含む
ことを特徴とする展示装置。
【請求項８】
さらに、前記知識グラフの非中央ノードがクリックされると、前記非中央ノードに対応する実体を新しい検索語として、再び検索を行う検索モジュールを含むことを特徴とする請求項７に記載の展示装置。
【請求項９】
前記処理モジュールは、前記サイドライン両端のノードに対応する実体を含む新しい検索語を生成することを特徴とする請求項７に記載の展示装置。
【請求項１０】
前記知識グラフのサイドラインの選択は、
マウスまたはキーボードのキーによるカーソルを前記サイドラインに置き、または、
タッチ物で前記サイドラインをタッチすることを特徴とする請求項７に記載の展示装置。
【請求項１１】
前記知識グラフのノードは異なるタイプを有し、異なるタイプのノードが異なる色で表示されることを特徴とする請求項７に記載の展示装置。
【請求項１２】
前記展示モジュールは、
ダイナミック的に前記知識グラフを展示することを特徴とする請求項７に記載の展示装置。
【請求項１３】
一つまたは複数のプロセッサーと、
一つまたは複数のプログラムが記憶されているメモリと、
を含み、
前記一つまたは複数のプログラムが前記一つまたは複数のプロセッサーにより実行されるとき、
検索語を受け、
前記検索語を含む知識グラフを取得し、
検索結果ページの予め設定した推奨区域の中に、前記知識グラフを展示する電子設備であって、
前記知識グラフは、ノードと、二つのノードを連結するサイドラインとからなり、
前記知識グラフの中央ノードに対応する実体が前記検索語であり、
前記一つまたは複数のプログラムが前記一つまたは複数のプロセッサーにより実行されるとき、
前記知識グラフのサイドラインがクリックされると、前記サイドライン両端のノードに対応する実体により新しい検索語を生成し、前記新しい検索語によって、再び検索を行うか、又は、
前記知識グラフのサイドラインが選択されると、前記サイドライン両端のノードに対応する実体の間の関係を展示し、
さらに、前記知識グラフの中央ノードがクリックされると、前記知識グラフの詳しい内容を展示する
ことを特徴とする電子設備。
【発明の詳細な説明】
【技術分野】
【０００１】
本発明は、通信技術領域に関し、特に推奨結果の展示方法及び装置に関する。
【背景技術】
【０００２】
従来の検索結果ページが左右二つの部分からなる。その中に、左側は主にユーザの検索需求を満たすものである。明確な検索目的を有する検索行為に対して、特定結果を出す。たとえば、「北京時間」を検索する時、検索結果として時計を出す。右側は主により多くの需求を起こすものである。その中に、関連的推奨、関連的ランキング、関連的事件の脈絡などいろいろな形式があり、主に、推奨カードの形式で展示する。たとえば、右側に行設定や列設定のカードを含み、カードを通して推奨内容を与える。
【０００３】
しかし、右側において推奨カードを展示する現在の方式は、内容が豊富でない、または、精確でないという問題が存在する。
【発明の概要】
【発明が解決しようとする課題】
【０００４】
本発明は、少なくともある程度上述技術問題の一つを解決する。
【課題を解決するための手段】
【０００５】
本発明の一つ目の目的は、推奨結果の展示方法を提供する。当方法は、もっと豊富かつ精確な推奨結果を展示し、ユーザ体験を向上させることができる。
【０００６】
本発明のもう一つ目の目的は、推奨結果の展示装置を提供する。
【０００７】
前記目的を達成するために、本発明第一方面による実施形態の推奨結果の展示方法は、検索語を受けるステップと、前記検索語を含む知識グラフを取得するステップと、検索結果ページの予め設定した推奨区域の中に、前記知識グラフを展示するステップとを含む。
【０００８】
本発明第一方面の実施形態の推奨結果の展示方法によれば、推奨区域の中に知識グラフを展示することを通して、知識グラフの中に豊富かつ精確な情報を含み、また、知識グラフが良好な可視性を有するので、ユーザに対し豊富、精確及び奇麗な推奨結果を展示し、ユーザ体験を向上させることができる。
【０００９】
前記目的を達成するために、本発明第二方面の実施形態は、推奨結果の展示装置を提供する。当装置は、検索語を受ける受け取りモジュール、前記検索語を含む知識グラフを取得する取得モジュール、検索結果ページの予め設定した推奨区域の中に、前記知識グラフを展示する展示モジュールとを含む。
【００１０】
本発明第二方面の実施形態の推奨結果の展示装置によれば、推奨区域の中に知識グラフを展示することを通して、知識グラフの中に豊富かつ精確な情報を含み、また、知識グラフが良好な可視性を有するので、ユーザに対し豊富、精確及び奇麗な推奨結果を展示し、ユーザ体験を向上させることができる。
【００１１】
本発明の付加の方面及び利点が下記の説明において部分的に表れられ、一部が下記の説明よりより明らかとなり、或は本発明の実行より了解できる。
【図面の簡単な説明】
【００１２】
本発明の上述及び／或いは付加的方面とメリットは、下記の図面を結合した実施形態に対する説明において、明らかになり、理解されることが容易になる。その中で、
【図１】本発明の一つの実施形態の推奨結果の展示方法のフローチャートである。
【図２】本発明の実施形態における知識グラフを展示する検索結果ページの表示効果図である。
【図３】本発明のもう一つの実施形態の推奨結果の展示方法のフローチャートである。
【図４】本発明の実施形態における知識フラプの中央ノードをクリックした表示効果図である。
【図５】本発明の実施形態におけるサイドラインをクリックして再び検索を行う表示効果図である。
【図６】本発明の実施形態におけるサイドラインを選択する時ノード間の関係を展示する表示効果図である。
【図７】本発明のもう一つの実施形態の推奨結果の展示装置の構造のブロック図である。
【図８】本発明のもう一つの実施形態の推奨結果の展示装置の構造のブロック図である。
【発明を実施するための形態】
【００１３】
以下に、本発明の実施例を詳細に説明する。前記実施例の実例が図面において示されるが、一貫して同一または類似する符号は、相同又は類似の部品、或いは、相同又は類似の機能を有する部品を表す。以下に、図面を参照しながら説明される実施例が例示性のものであり、本発明を解釈するためだけに用いられるものであって、本発明を制限するように理解されてはならない。本発明の実施形態は、本発明の請求書の趣旨を逸脱しない範囲内で種々の改良、変形及び同等物を含む。
【００１４】
図１は本発明の一つの実施形態の推奨結果の展示方法のフローチャートである。当方法は、ステップＳ１１、ステップＳ１２及びステップＳ１３を含む。
【００１５】
ステップＳ１１において、検索語を受ける。
【００１６】
当検索語は、客観的世界において区別できる実体を説明する。
【００１７】
たとえば、検索語は「鼓浪嶋」である。
【００１８】
ステップＳ１２において、前記検索語を含む知識グラフを取得する。
【００１９】
知識グラフ（Mapping Knowledge Domain）は、科学知識グラフとも呼ばれ、図書情報領域において知識エリアの可視化または知識エリアマッピングとして知られ、知識発展プロセスと構造関係を表示するための一連の各種グラフであり、可視化技術によって知識資源及びそのキャリヤーを説明し、知識及びそれらの間の相互関係の掘り出し、分析、構築、作成、及び、表示を行う。
【００２０】
具体的に、知識グラフは、応用数学、グラフィックス、情報可視化技術、情報科学などの理論と方法を計量学分析、共起分析などの方法に結合し、また、可視化グラフィックスを利用してその学科の核心構造、発展歴史、先端領域及び全体知識構造を生き生きと表示して、多学科融合の目的を達成する現代理論である。知識グラフは、データ掘り出し、情報処理、知識計量、及びグラフ作成を通して複雑な知識領域を表示し、知識領域のダイナミックな発展法則を解明して、学科の研究に対し確実な価値ある参考となる。
【００２１】
本実施形態には、知識グラフは、ノードと、二つのノードを連結するサイドラインからなる。ノード毎に一つずつの実体に対応する。二つのノードに対応する実体の間に関連があれば、サイドラインでこの二つのノードを連結することができる。
【００２２】
理解できるのは、知識グラフは、前記ノードとサイドラインからなることには限らない。さらに、ほかの形式で表すこともできる。知識グラフのほかの変形形式も本発明の保護範囲に入られる。
【００２３】
サービス側が、前記知識グラフの構築に必要な技術に応じて、予め実体を含む知識グラフを作成する。その後、検索エンジンが検索語を受けると、当検索語をサービス側に伝送する。サービス側は、予め作成した知識グラフの中から、当検索語が説明する実体を含む知識グラフを探し出す。
【００２４】
さらに、サービス側は、検索語が説明する実体を中央ノードとする知識グラフを検索エンジンに伝送して展示する。
【００２５】
ステップＳ１３において、検索結果ページの予め設定した推奨区域の中に、前記知識グラフを展示する。
【００２６】
予め設定した推奨区域は、検索結果ページの左側または右側にある。ここで、右側を例として、図２を参照する。検索語が「鼓浪嶋」である場合、検索結果ページの右側において、「鼓浪嶋」を中央ノードとする知識グラフ２１を展示することができる。
【００２７】
本実施形態には、推奨区域の中に検索語を含む知識グラフを展示することによって、知識グラフの中に豊富且つ精確な情報を含み、また、知識グラフが良好な可視性を有するので、ユーザに対し豊富、精確及び奇麗な推奨結果を展示し、ユーザ体験を向上させることができる。
【００２８】
図３は本発明のもう一つの実施形態の推奨結果の展示方法のフローチャートである。当方法は、ステップＳ３１、ステップＳ３２、ステップＳ３３、ステップＳ３４、ステップＳ３５及びステップＳ３６を含む。
【００２９】
ステップＳ３１において、検索語を受ける。当検索語により当検索語を含む知識グラフを展示する。
【００３０】
具体的なフローチャートは図１を参照する。図１の処理によって、図２に示すような推奨結果を展示できる。
【００３１】
その中に、知識グラフのノードとサイドラインを両方ともクリックできる。
【００３２】
ステップＳ３２において、前記知識グラフの中央ノードがクリックされると、前記知識グラフの詳しい内容を展示する。
【００３３】
検索結果ページの空間が限られるので、図２を参照するように、検索結果ページに展示された知識グラフは簡素化した一部だけである。
【００３４】
図４を参照する。中央ノードがクリックされると、大きいグラフを展示し、知識グラフのより詳しい内容を調べる。大きいグラフと小さいグラフの領域が予め設定され、一般的に、大きいグラフの領域が小さいグラフの領域の数倍になる。
【００３５】
選べられるのは、知識グラフのノードは異なるタイプを有し、異なるタイプのノードが異なる色で表示される。たとえば、タイプとして、「文化」、「製品」、「地理」などを含め、それぞれ黄色、紫色、青色などで標識される。
【００３６】
ステップＳ３３において、前記知識グラフの非中央ノードがクリックされると、前記非中央ノードに対応する実体を新しい検索語として、再び検索を行う。
【００３７】
たとえば、「日光岩」に対応するノードがクリックされると、検索フレームの中に自動的に「日光岩」を入力し、「日光岩」に対する検索を行う。
【００３８】
ステップＳ３４において、前記知識グラフのサイドラインがクリックされると、前記サイドライン両端のノードに対応する実体により新しい検索語を生成し、前記新しい検索語によって、再び検索を行う。
【００３９】
具体的に、前記サイドライン両端のノードに対応する実体により新しい検索語を生成する場合、前記サイドライン両端のノードに対応する実体を含む新しい検索語を生成する。
【００４０】
たとえば、「鼓波嶋」に対応するノードと「ピアノ」に対応するノードの間のサイドラインがクリックされると、図５に示すように、検索フレームの中に自動的に「鼓波嶋  ピアノ」を入力し、「鼓波嶋  ピアノ」に対する新しい検索を行う。
【００４１】
ステップＳ３５において、前記知識グラフのサイドラインが選択されると、前記サイドライン両端のノードに対応する実体の間の関係を展示する。
【００４２】
その中に、前記知識グラフのサイドラインの選択は、マウスまたはキーボードのキーによるカーソルを前記サイドラインに置くこと、または、タッチ物で前記サイドライン又はノードをタッチすることである。
【００４３】
マウスのカーソルをサイドラインに置くことによる選択指令を生成することを例とする。図６を参照し、ユーザが、「鼓波嶋」に対応するノードと「ピアノ博物館」に対応するノードの間のサイドラインにマウスのカーソルを置かせ、「鼓波嶋」と「ピアノ博物館」の間の関係を展示することができる。理解できるのは、図６において当関係を簡単に説明するが、実際の実施ときには、もっと豊富な関係の説明を展示できる。
【００４４】
ステップＳ３６において、前記知識グラフのノードが選択されると、前記ノードに対応する実体のほかの情報を展示する。
【００４５】
その中に、前記知識グラフのノードの選択は、マウスまたはキーボードのキーによるカーソルを前記ノードに置くこと、または、タッチ物で前記ノードをタッチすることである。
【００４６】
マウスのカーソルをノードに置くことによる選択指令を生ずることを例とする。ユーザがマウスをノードに置かせ、フローティングウインドウやプルダウン式サブカード又はほかの形式で、当ノードに対応する実体のより詳しい情報を展示する。
【００４７】
理解できるのは、前記ステップＳ３２−Ｓ３６が時間的順番を制限することなく、その中の一つ又は複数を実行することができる。
【００４８】
さらに、知識グラフはダイナミック的な効果を有し、力指向グラフ、回転可能な文字クラウドなどを含み、但し、それらに限らない。
【００４９】
本実施形態は、推奨区域の中に知識グラフを展示することによって、次の利点を有し、ただし、それらに限らない。
【００５０】
１、推奨理由がはっきりしている。グラフの実体ノード及びサイドラインがクリックされる。ユーザがマウスをノード又はサイドラインの上に置かせ、フローティングウインドウ又はサブカードの形式で展示する内容を調べる。また、ノード及びサイドラインをクリックして検索を行う。その中に、ノードがクリックされると、ノードに対応する実体を検索語（query）に転化して検索を行う。サイドラインがクリックられると、サイドライン関係に対応する検索語（query）を構築して検索を行う。したがって、推奨理由に対する疑問を検索のガイドと満足に転化することによって、ユーザがグラフのノードとサイドラインの具体的な内容を明確に取得する。
【００５１】
２、広い縦横の知識のカバー範囲。知識データベースのデータ範囲が極めて広い。改良した掘り出しと推理のアルゴリズムにより得られた知識が、適当で魅力である。知識グラフのデータは、ほぼすべての知識領域をカバーしている。知識グラフの能力を利用して、一つの検索語（query）に対しすべての関連実体と関係をページに展示することができる。たとえば、「李彦宏」を検索するとき、関連人物（たとえば、「馬東敏」、「徐勇」など）、関連企業（「百度」）のほか、李彦宏に関連する著名な事件（「シリコンバレー商戦」、「２０１１年中国ＩＴリーダー集会」、「電閃計画」など）、評価（「検索王李彦宏」）、技術（「スーパーチェーン分析」、「フレーム計算」など）をも探し出す。多領域で、縦横とも、検索語（query）の関連知識を全面的に、好ましく展示する。その中の多くは、検索エンジンを利用して大量のウェブページを読んで得られるが、非常に煩わしく、効率が悪い。本実施形態には、重み最適化など様々なアルゴリズムを組み合わせ特に興味あり関連強い内容を一つのグラフに直感的に示す。ユーザが好きなようにクリックしてその背景知識を調べられ、非常に便利である。
【００５２】
３、推奨アルゴリズムの革新。単なる日記、検索語（query）共起などのデータのクリックに限らないが、直接に全ネットワークのページから検索語（query）に対応する実体のページ内容を掘り出して、その中の実体と関係を分析し、知識グラフにおける既存のデータとサービスを利用してマッピングや推理を行い、最終的に検索語（query）に対応する実体を中心とする知識グラフを展示する。したがって、検索語（query）→ページ（page）→実体（entity）というアルゴリズムとなる。これによって得られた推奨項が従来方法よりもっと時効性があり、関連性と知識性が強い。
【００５３】
４、形式が面白くて、対話が簡潔であり、かつ生き生きとするある。初めてグラフ（または、カードと違って、実体間関係を展示できるほかの形式）を検索製品に導入して展示する。直観的なノード（実体）とサイドライン（ノード間関係）の方式で検索語（query）を中心とする知識グラフを展示する。分類、図例又はほかの分かり易い説明を利用し、第一時間にユーザの注目を集められ、豊富で価値ある情報を提供できる。後に３Ｄ球面又はほかの設計も採用できる。
【００５４】
５、マルチレベル関係を掘り出して展示する。推奨項と検索語（query）の間の一級関係のほか、さらに需要に応じて、推奨項間の関係を含め、もっとマルチレベル関係を展示できる。このような関係がよく意外的な効果を持つ。人の探求意欲を刺激し、知識収益が大きく、次第に、ユーザの次のクリックを促せる。
【００５５】
６、関連性が強く、シューザの好奇心を刺激する知識点を含め、しかし、通常人の頭の中に自然に触発されない検索語（query）にとっては、直観的に展示し、クリックを促せる。たとえば、「鼓浪嶋  鄭成功」、「ジャスミン  Chanel No.5（登録商標） 香水」などである。
【００５６】
７、商業価値とユーザ需求を統一できる。この前に、商業流量が主に左側によって引き起こされる。今は、非常に流暢的なやり方で、もっと商業的価値のある検索をクリックするように右側でユーザを誘導する。たとえば、ユーザが「クチ蝦蛄」を検索する場合、右側で一の具体的な店名を示す。このとき、ユーザが店名をクリックして検索を行う。また、たとえば、「ジャスミン」を検索する場合、「Chanel No.5 香水」が示され、香水をクリックして検索をして、右側でChanel（登録商標）ブランド広告を示す。
【００５７】
８、マーケティング分析、世論分析など各種の応用場面においても莫大な価値がある。特定の検索語（query）グラフ効果を調べると、インターネットにおけるホットニュースを了解でき、後続発展計画の策定を助けられる。
【００５８】
上述から分かるように、本実施形態は、知識グラフの展示を通して、もっと豊富かつ精確な情報を展示でき、ユーザからの新しいクリックを刺激させる。新しい検索を行わせることによって、一人あたりの平均クリック量を増加させる。ネットユーザ数の増加が一定のボトルネックになっている現在、一人あたりの平均クリック量の増加が検索流量の増加を達成できる。
【００５９】
図７は本発明のもう一つの実施形態の推奨結果の展示装置の構造を示す。当装置７０は、受け取りモジュール７１、取得モジュール７２及び展示モジュール７３と含む。
【００６０】
受け取りモジュール７１は検索語を受ける。
【００６１】
当検索語は、客観的世界において区別できる実体を説明する。
【００６２】
たとえば、検索語は「鼓浪嶋」である。
【００６３】
取得モジュール７２は前記検索語を含む知識グラフを取得する。
【００６４】
知識グラフ（Mapping Knowledge domain）は、科学知識グラフとも呼ばれ、図書情報領域において知識域可視化または知識領域マッピング地図として知られ、知識発展プロセスと構造関係を表示するための各種グラフであり、可視化技術によって知識資源及びそのキャリヤーを説明し、知識及びそれらの間の相互関係の掘り出し、分析、構築、作成、及び、表示を行う。
【００６５】
具体的に、知識グラフは、応用数学、グラフィックス、情報可視化技術、情報科学などの理論と方法を計量学分析、共起分析などの方法に結合し、また、可視化グラフィックスを利用してその学科の核心構造、発展歴史、先端領域及び全体知識構造を生き生きと表示して、多学科融合の目的を達成する現代理論である。知識グラフは、データ掘り出し、情報処理、知識計量、及びグラフ作成を通して複雑な知識領域を表示し、知識領域のダイナミックな発展法則を解明して、学科の研究に対し確実な価値ある参考となる。
【００６６】
知識グラフは、ノードと、二つのノードを連結するサイドラインからなる。ノード毎に一つずつの実体に対応する。二つのノードに対応する実体の間に関連があれば、サイドラインでこの二つのノードを連結することができる。
【００６７】
サービス側が、前記知識グラフの構築に必要な技術に応じて、予め実体を含む知識グラフを作成する。その後、検索エンジンが検索語を受けると、当検索語をサービス側に伝送する。サービス側は、予め作成した知識グラフの中から、当検索語が説明する実体を含む知識グラフを探し出す。
【００６８】
さらに、サービス側は、検索語が説明する実体を中央ノードとする知識グラフを検索エンジンに伝送して展示する。
【００６９】
展示モジュール７３は、検索結果ページの予め設定した推奨区域の中に、前記知識グラフを展示する。
【００７０】
予め設定した推奨区域は、検索結果ページの左側または右側にある。ここで、右側を例として、図２を参照する。検索語が「鼓浪嶋」である場合、検索結果ページの右側において、「鼓浪嶋」を中央ノードとする知識グラフ２１を展示することができる。
【００７１】
一つの実施形態には、前記知識グラフは、ノードと、二つのノードを連結するサイドラインからなり、前記知識グラフの中央ノードに対応する実体が前記検索語である。
【００７２】
図８を参照する。当装置７０は、さらに、前記知識グラフの中央ノードがクリックされると、前記知識グラフの詳しい内容を展示する拡大モジュール７４を含む。
【００７３】
検索結果ページの空間が限られるので、図２を参照するように、検索結果ページに展示された知識グラフは簡素化した一部だけである。
【００７４】
図４を参照する。中央ノードがクリックされると、大きいグラフを展示し、知識グラフのより詳しい内容を調べる。大きいグラフと小さいグラフの領域が予め設定され、一般的に、大きいグラフの領域が小さいグラフの領域の数倍になる。
【００７５】
選べられるのは、知識グラフのノードは異なるタイプを有し、異なるタイプのノードが異なる色で表示される。たとえば、タイプとして、「文化」、「製品」、「地理」などを含め、それぞれ黄色、紫色、青色などで標識される。
【００７６】
一つの実施形態には、図８を参照する。当装置７０は、さらに、前記知識グラフの非中央ノードがクリックされると、前記非中央ノードに対応する実体を新しい検索語として、再び検索を行う検索モジュール７５を含む。
【００７７】
たとえば、「日光岩」に対応するノードがクリックされると、検索フレームの中に自動的に「日光岩」を入力し、「日光岩」に対する検索を行う。
【００７８】
一つの実施形態には、図８を参照する。当装置７０は、さらに処理モジュール７６を含め、前記処理モジュール７６は、前記知識グラフのサイドラインがクリックされると、前記サイドライン両端のノードに対応する実体により新しい検索語を生成し、前記新しい検索語によって、再び検索を行い、又は、前記知識グラフのサイドラインが選択されると、前記サイドライン両端のノードに対応する実体の間の関係を展示し、又は、前記知識グラフのノードが選択されると、前記ノードに対応する実体のほかの情報を展示する。
【００７９】
一つの実施形態には、前記処理モジュール７６は、前記サイドライン両端のノードに対応する実体を含む新しい検索語を生成する。
【００８０】
たとえば、「鼓波嶋」に対応するノードと「ピアノ」に対応するノードの間のサイドラインがクリックされると、図５に示すように、検索フレームの中に自動的に「鼓波嶋  ピアノ」を入力し、「鼓波嶋  ピアノ」に対する新しい検索を行う。
【００８１】
一つの実施形態には、前記処理モジュール７６の働きが、マウスまたはキーボードのキーによるカーソルを前記サイドラインに置くこと、または、タッチ物で前記サイドライン又はノードをタッチすることである。
【００８２】
マウスのカーソルをサイドラインに置くことによる選択指令を生ずることを例とする。図６を参照し、ユーザが、「鼓波嶋」に対応するノードと「ピアノ博物館」に対応するノードの間のサイドラインにマウスのカーソルを置かせ、「鼓波嶋」と「ピアノ博物館」の間の関係を展示することができる。理解できるのは、図６において当関係を簡単に説明するが、実際の実施時には、もっと豊富な関係説明を展示できる。
【００８３】
マウスのカーソルをノードに置くことによる選択指令を生ずることを例とする。ユーザがマウスをノードに置かせ、フローティングウィンドウ又はプルダウン式サブカードまたはほかの形式で、当ノードに対応する実体のより詳しい情報を展示する。
【００８４】
一つの実施形態には、前記展示モジュール７６は、ダイナミック的に知識グラフを展示し、力指向グラフ、回転可能な文字クラウドなどを含み、但し、それらに限らない。
【００８５】
本実施形態によれば、推奨区域の中に知識グラフを展示することを通して、知識グラフの中に豊富かつ精確な情報を含み、また、知識グラフが良好な可視性を有するので、ユーザに対し豊富、精確及び奇麗な推奨結果を展示し、ユーザ体験を向上させることができる。
【００８６】
本発明は、さらに、一つまたは複数のプロセッサーと、メモリと、一つまたは複数のプログラムを含め、前記一つまたは複数のプログラムは、前記メモリに記憶され、前記一つまたは複数のプロセッサーにより実行されるとき、検索語を受けり、前記検索語を含む知識グラフを取得し、検索結果ページの予め設定した推奨区域の中に、前記知識グラフを展示することを特徴とする電子設備を提出する。
【００８７】
説明すべきは、本発明の中に、用語「第一」、「第二」などは、単なる目的を表すものであり、相対的重要性を表示又は暗示することではない。特に規定がなければ、本発明の説明には、「複数」の意味が少なくとも二つ、または、それ以上である。
【００８８】
フローチャートまたは他の方式で説明したいかなる過程や方法は、一つまたは複数の、特定ロジック性能または過程のステップの実行できるコマンドのコードのモジュール、セクターあるいは部分を含む。本発明の望ましい実施方式の範囲は、他の実現を含み、表示または討論の順序に従わなくてもよい。述べられた機能に基づいて基本的に同様な方式または逆の順序で、その機能を実行することができる。これは、本発明実施形態の当業者に理解される。
【００８９】
また、理解すべきは、本発明の各部分は、ハードウェア、ソフトウェア、部品またはそれらの組み合わせで実現できる。実施形態には、複数のステップまたは方法がメモリに保存され、適当なコマンド実行システムのソフトウェアまたは部品で実現される。たとえば、ハードウェアで実現する場合、他の実施方式と同じように、本領域周知の下記の任意一つまたはそれらの組み合わせで実現できる。すなわち、デジタル信号に対してロジック機能を実現するロジックゲート回路を有する個別のロジック回路、ロジックゲート回路を組み合わせた適当な専用ＩＣ、プログラマブルゲートアレイ（ＰＧＡ）、フィールドプログラマブルゲートアレイ（ＦＰＧＡ）などである。
【００９０】
上述した実施形態の全部または一部のステップが、プログラムによりハードウェアを指示して実現される。前記プログラムは、計算機メモリに記憶される。当プログラムを実行するとき、実施形態のステップの一つまたはその組み合わせを含む。
【００９１】
また、本発明の各実施形態の各機能ユニットが一つの処理モジュールに集中してもいいし、それぞれ単独に存在してもよい。さらに、二つ又は二つ以上のユニットが一つのモジュールに集中することもできる。上述の集合モジュールがハードウェア、または、ソフトウェア機能モジュールで実現することできる。前述したソフトウェア機能モジュールで独立的製品を販売又は利用する場合、計算機記憶メディアに記憶してもよい。
【００９２】
前記記憶メディアは、メモリ、ディスク、または、ＣＤなどである。
【００９３】
本説明書には、用語「一つの実施形態」、「いくつかの実施形態」、「例示」、「具体的例示」、または、「いくつかの例示」などは、当実施形態又は例示の具体的特徴、構造、材料または特点が本発明の少なくとも一つの実施形態又は例示に含まれることを意味する。本説明書には、前記用語の説明が必ずしも同じ実施形態又は例示を意味しない。また、説明の中の具体的特徴、構造、材料または特点は、任意の一つ又はいくつかの実施形態又は例示に適当な方式で結合されることができる。
【００９４】
本発明の実施形態を示して説明したが、当業者にとって理解できるのは、本発明の原理及び主旨から逸脱しない限りこれらの実施形態に対して複種の変化、補正、切り替え及び変形を行うことができる。本発明の範囲は、特許請求の範囲及びその等価物により限定される。
【００９５】
本特許出願は、百度オンライン網絡技術（北京）有限公司から２０１４年７月１６日に提出し、発明名称が「推奨結果の展示方法及び装置」であり、中国特許出願番号が２０１４１０３３９４７８．７の優先権を主張する。
【図１】
0006286549.tif 000002
【図２】
0006286549.tif 000003
【図３】
0006286549.tif 000004
【図４】
0006286549.tif 000005
【図５】
0006286549.tif 000006
【図６】
0006286549.tif 000007
【図７】
0006286549.tif 000008
【図８】
0006286549.tif 000009